(57)【要約】【課題】  従来の電源電圧遮断方法によっては大規模な停波や、復旧に長時間を要する等の不都合が起こっていた。【解決手段】  蓋に取付けるＣＡＴＶ用機器本体の電源電圧系路に設けられた脱着可能なチョークコイル又はジャンパー線を電源電圧系路から取り外すか、又は電源電圧系路に設けられたスイッチを開くことにより電源電圧系路を開放し、電源電圧系路が開放された当該機器本体を蓋に取付けることにより、入力側端子に入力される電源電圧は前記開放部分で遮断されて出力側端子に出力されないようにした。また、前記機器本体が、電源電圧系路内のチョークコイルを脱着可能とするか、電源電圧系路内にジャンパー線を脱着可能に設けるか、電源電圧系路内にスイッチを設け、前記チョークコイル又はジャンパー線を電源電圧系路から取り外すことにより電源電圧系路を開放可能としたことを特徴とするＣＡＴＶ用機器。【選択図】図１
2005159555.tif 000002
【特許請求の範囲】
【請求項１】
蓋（２）と、それに脱着可能な機器本体（３）とから構成され、
蓋（２）は入力側同軸ケーブルを接続可能な入力側端子（６）と、出力側同軸ケーブルを接続可能な出力側端子（７）と、両端子（６、７）を短絡可能な短絡材（１０）を備え、
機器本体（３）は入力側端子（６）に入力された高周波信号が通る高周波系路（３３）と、入力側端子（６）に入力された電源電圧が通る電源電圧系路（３４）と、高周波信号を分岐する分岐端子（３１）とを備え、
前記蓋（２）に機器本体（３）が取付けられると、前記短絡材（１０）が機器本体（３）により押されて蓋（２）の入力側端子（６）と出力側端子（７）の双方またはいずれか一方から離れ、機器本体（３）の高周波系路（３３）と電源電圧系路（３４）が入力側端子（６）と出力側端子（７）の双方に接触して、入力側端子（６）に入力された高周波信号は高周波系路（３３）を通して、入力側端子（６）に入力された電源電圧は電源電圧系路（３４）を通して夫々出力側端子（７）に出力されると共に高周波信号は分岐端子（３１）に分岐され、
前記蓋（２）から機器本体（３）を取り外すと、機器本体（３）による短絡材（１０）の前記押しが解除されて、短絡材（１０）が蓋（２）の入力側端子（６）と出力側端子（７）の双方に接触して、入力側端子（６）に入力された高周波信号及び電源電圧が短絡材（１０）を通して出力側端子（７）に出力されるようにしたＣＡＴＶ用機器において、
前記機器本体（３）の電源電圧系路（３４）に設けられた脱着可能なチョークコイル（Ｌ）又はジャンパー線（５３）を電源電圧系路（３４）から取り外すか、又は電源電圧系路（３４）に設けられたスイッチ（５４）を開くことにより電源電圧系路（３４）を開放し、
電源電圧系路（３４）が開放された当該機器本体（３）を蓋（２）に取付けることにより、入力側端子（６）に入力される高周波信号（３３）及び電源電圧のうち高周波信号は出力側端子（７）と分岐端子（３１）の一方又は双方に出力されるが、電源電圧は前記開放部分で遮断されて出力側端子（７）に出力されないようにすることを特徴とするＣＡＴＶ用機器による電源電圧遮断方法。
【請求項２】
蓋（２）と、それに脱着可能な機器本体（３）とから構成され、
蓋（２）は入力側同軸ケーブルを接続可能な入力側端子（６）と、出力側同軸ケーブルを接続可能な出力側端子（７）と、両端子（６、７）を短絡可能な短絡材（１０）を備え、
機器本体（３）は入力側端子（６）に入力された高周波信号が通る高周波系路（３３）と、入力側端子（６）に入力された電源電圧が通る電源電圧系路（３４）と、高周波信号を分岐する分岐端子（３１）とを備え、
前記蓋（２）に機器本体（３）が取付けられると、前記短絡材（１０）が機器本体（３）により押されて蓋（２）の入力側端子（６）と出力側端子（７）の双方またはいずれか一方から離れ、機器本体（３）の高周波系路（３３）と電源電圧系路（３４）が入力側端子（６）と出力側端子（７）の双方に接触して、入力側端子（６）に入力された高周波信号は高周波系路（３３）を通して、入力側端子（６）に入力された電源電圧は電源電圧系路（３４）を通して夫々出力側端子（７）に出力されると共に高周波信号は分岐端子（３１）に分岐され、
前記蓋（２）から機器本体（３）を取り外すと、機器本体（３）による短絡材（１０）の前記押しが解除されて、短絡材（１０）が蓋（２）の入力側端子（６）と出力側端子（７）の双方に接触して、入力側端子（６）に入力された高周波信号及び電源電圧が短絡材（１０）を通して出力側端子（７）に出力されるようにしたＣＡＴＶ用機器において、
前記機器本体（３）は、電源電圧系路（３４）内のチョークコイル（Ｌ）を脱着可能とするか、電源電圧系路（３４）内にジャンパー線（５３）を脱着可能に設けるか、電源電圧系路（３４）内にスイッチ（５４）を設け、前記チョークコイル（Ｌ）又はジャンパー線（５３）を電源電圧系路（３４）から取り外すことにより、又はスイッチ（５４）を開くことにより電源電圧系路（３４）を開放可能であり、
その電源電圧系路（３４）が開放された機器本体（３）を蓋（２）に取付けると、入力側端子（６）に入力される高周波信号及び電源電圧のうち高周波信号は出力側端子（７）と分岐端子（３１）の一方又は双方に出力されるが、電源電圧は前記開放部分で遮断されて出力側端子（７）に出力されないようにしたことを特徴とするＣＡＴＶ用機器。
【請求項３】
請求項２記載のＣＡＴＶ用機器の機器本体（３）を、入力側同軸ケーブルを接続可能な入力側端子（６）と、出力側同軸ケーブルを接続可能な出力側端子（７）と、両端子（６、７）を短絡可能な短絡材（１０）を備えた蓋（２）にセットして、挟着治具（４７）により蓋（２）と共に挟着して固定し、挟着治具（４７）による挟着を解除すると機器本体（３）が蓋（２）から離脱することを特徴とする蓋への機器本体の固定装置。
【請求項４】
請求項３記載の蓋への機器本体の固定装置において、挟着治具（４７）が機器本体（３）の底面又は蓋（２）の上面にあてがう支持部（４４）と、蓋（２）の上面又は機器本体（３）の底面を押える回転レバー（４５）とを備え、前記支持部（４４）を機器本体（３）の底面又は蓋（２）の上面にあてがい、回転レバー（４５）を回転させて蓋（２）の上面又は機器本体（３）の底面を押えると、支持部（４４）と回転レバー（４５）とにより蓋（２）と機器本体（３）とが挟着固定され、回転レバー（４５）を回転させて蓋（２）の上面又は機器本体（３）の底面から外すと機器本体（３）が蓋（２）から外れるようにしたことを特徴とする蓋への機器本体の固定装置。
【発明の詳細な説明】
【技術分野】
【０００１】
本発明は、タップオフ、分岐・分配器等のＣＡＴＶ用機器がカスケード接続されたＣＡＴＶ伝送路において、ＣＡＴＶ用機器により電源電圧を遮断して下流に流れないようにする電源電圧遮断方法と、その方法の実施に使用するＣＡＴＶ用機器と、蓋への機器本体の固定装置に関するものである。
【背景技術】
【０００２】
ＣＡＴＶ伝送路には映像信号、音声信号等の高周波信号が伝送される。この場合、通常は、ＣＡＴＶ伝送路に接続されているＣＡＴＶ機器に電源を供給するために、図１０に示すように、電源供給器（Power Supply：ＰＳ）からの電圧（電源）（通常は数１０Ｖ）を電源付加器（Power InjectorまたはPower Inserter：ＰＩ）を通してＣＡＴＶ伝送路に供給している。供給された電源電圧は電源付加器（ＰＩ）の下流側と上流側の双方に供給される。
【０００３】
図１０のＣＡＴＶ用機器は同軸ケーブルＣａにカスケード接続されているため、例えば、タップオフＡ１とタップオフＡ２との間にタップオフＡ３を増設する場合、切断箇所Ｂで同軸ケーブルＣａを切断すると、同軸ケーブルＣａの中心導体と外部導体とがショートして、電源供給器（ＰＳ）が遮断されて停波する。それを防止するために、従来は、ケーブル切断前に予め、電源供給器（ＰＳ）からの電源供給を遮断したり、電源付加器（ＰＩ）内のチョークコイルやジャンパー線等を取り外して、切断箇所Ｂへ電源供給を遮断し、その後に、同軸ケーブルＣａを切断している。
【発明の開示】
【発明が解決しようとする課題】
【０００４】
従来の電源供給器（ＰＳ）からの電源供給を遮断する方法では、タップオフＡ３の増設とは関係のない上流側への給電も断たれてしまい、ＣＡＴＶシステムが大規模な停波となる。しかも、電源供給器（ＰＳ）が増設箇所から遠い場所にある場合は、電源供給器（ＰＳ）と増設箇所間の往復に時間がかかり、作業に時間がかかる。また、電源付加器（ＰＩ）内のチョークコイルやジャンパー線等を取り外して電源供給を停止する方法では、その後の修復が困難な場合があり、メーカー修理を要する等、作業に時間がかかる。
【課題を解決するための手段】
【０００５】
本発明は上流側への電源供給は停止せず、下流側への電源供給だけを停止し、しかも、下流側への電源供給を最小限にして、大規模な停波を回避することができるようにすることにある。
【０００６】
本件出願の請求項１記載のＣＡＴＶ用機器による電源電圧遮断方法は、蓋２と、それに脱着可能な機器本体３とから構成され、
蓋２は入力側同軸ケーブルを接続可能な入力側端子６と、出力側同軸ケーブルを接続可能な出力側端子７と、両端子６、７を短絡可能な短絡材１０を備え、
機器本体３は入力側端子６に入力された高周波信号が通る高周波系路３３と、入力側端子６に入力された電源電圧が通る電源電圧系路３４と、高周波信号を分岐する分岐端子３１とを備え、
前記蓋２に機器本体３が取付けられると、前記短絡材１０が機器本体３により押されて蓋２の入力側端子６と出力側端子７の双方またはいずれか一方から離れ、機器本体３の高周波系路３３と電源電圧系路３４が入力側端子６と出力側端子７の双方に接触して、入力側端子６に入力された高周波信号は高周波系路３３を通して、入力側端子６に入力された電源電圧は電源電圧系路３４を通して夫々出力側端子７に出力されると共に高周波信号は分岐端子３１に分岐され、
前記蓋２から機器本体３を取り外すと、機器本体３による短絡材１０の前記押しが解除されて、短絡材１０が蓋２の入力側端子６と出力側端子７の双方に接触して、入力側端子６に入力された高周波信号及び電源電圧が短絡材１０を通して出力側端子７に出力されるようにしたＣＡＴＶ用機器において、
前記機器本体３の電源電圧系路３４に設けられた脱着可能なチョークコイルＬ又はジャンパー線５３を電源電圧系路３４から取り外すか、又は電源電圧系路３４に設けられたスイッチ５４を開くことにより電源電圧系路３４を開放し、
電源電圧系路３４が開放された当該機器本体３を蓋２に取付けることにより、入力側端子６に入力される高周波信号３３及び電源電圧のうち高周波信号は出力側端子７と分岐端子３１の一方又は双方に出力されるが、電源電圧は前記開放部分で遮断されて出力側端子７に出力されないようにする方法である。
【０００７】
本件出願の請求項２記載のＣＡＴＶ用機器は、蓋２と、それに脱着可能な機器本体３とから構成され、
蓋２は入力側同軸ケーブルを接続可能な入力側端子６と、出力側同軸ケーブルを接続可能な出力側端子７と、両端子６、７を短絡可能な短絡材１０を備え、
機器本体３は入力側端子６に入力された高周波信号が通る高周波系路３３と、入力側端子６に入力された電源電圧が通る電源電圧系路３４と、高周波信号を分岐する分岐端子３１とを備え、
前記蓋２に機器本体３が取付けられると、前記短絡材１０が機器本体３により押されて蓋２の入力側端子６と出力側端子７の双方またはいずれか一方から離れ、機器本体３の高周波系路３３と電源電圧系路３４が入力側端子６と出力側端子７の双方に接触して、入力側端子６に入力された高周波信号は高周波系路３３を通して、入力側端子６に入力された電源電圧は電源電圧系路３４を通して夫々出力側端子７に出力されると共に高周波信号は分岐端子３１に分岐され、
前記蓋２から機器本体３を取り外すと、機器本体３による短絡材１０の前記押しが解除されて、短絡材１０が蓋２の入力側端子６と出力側端子７の双方に接触して、入力側端子６に入力された高周波信号及び電源電圧が短絡材１０を通して出力側端子７に出力されるようにしたＣＡＴＶ用機器において、
前記機器本体３は、電源電圧系路３４内のチョークコイルＬを脱着可能とするか、電源電圧系路３４内にジャンパー線５３を脱着可能に設けるか、電源電圧系路３４内にスイッチ５４を設け、前記チョークコイルＬ又はジャンパー線５３を電源電圧系路３４から取り外すことにより、又はスイッチ５４を開くことにより電源電圧系路３４を開放可能であり、
その電源電圧系路３４が開放された機器本体３を蓋２に取付けると、入力側端子６に入力される高周波信号及び電源電圧のうち高周波信号は出力側端子７と分岐端子３１の一方又は双方に出力されるが、電源電圧は前記開放部分で遮断されて出力側端子７に出力されないようにしたものである。
【０００８】
本件出願の請求項３記載の機器本体の固定装置は、請求項２記載のＣＡＴＶ用機器の機器本体３を、入力側同軸ケーブルを接続可能な入力側端子６と、出力側同軸ケーブルを接続可能な出力側端子７と、両端子６、７を短絡可能な短絡材１０を備えた蓋２にセットして、挟着治具４７により蓋２と共に挟着して固定し、挟着治具４７による挟着を解除すると機器本体３が蓋２から離脱するようにしたものである。
【０００９】
本件出願の請求項４記載の機器本体の固定装置は、請求項３記載の蓋への機器本体の固定装置において、挟着治具４７が機器本体３の底面又は蓋２の上面にあてがう支持部４４と、蓋２の上面又は機器本体３の底面を押える回転レバー４５とを備え、前記支持部４４を機器本体３の底面又は蓋２の上面にあてがい、回転レバー４５を回転させて蓋２の上面又は機器本体３の底面を押えると、支持部４４と回転レバー４５とにより蓋２と機器本体３とが挟着固定され、回転レバー４５を回転させて蓋２の上面又は機器本体３の底面から外すと機器本体３が蓋２から外れるようにしたものである。
【発明の効果】
【００１０】
本件出願の請求項１記載のＣＡＴＶ用機器による電源電圧遮断方法には次のような効果がある。
（１）前記蓋に取付ける機器本体の、電源電圧系路中のチョークコイル又はジャンパー線を取り外すか、スイッチを開くことによって電源電圧系路を開放し、その機器本体を蓋に取付けるだけでＣＡＴＶ用機器の入力側端子に入力される電源電圧を出力側端子に出力されないように遮断することができるため、特別な部品等を必要とすることなく、手軽に電源電圧を遮断することができる。
（２）ＣＡＴＶ用機器の増設、保守などの工事を必要とする位置の直前のタップオフ等のＣＡＴＶ用機器の電源電圧系路が開放されれば、停波するのは当該ＣＡＴＶ用機器以降のみとなるため、停波規模を小さくすることができる。
【００１１】
本件出願の請求項２記載のＣＡＴＶ用機器には次のような効果がある。
（１）機器本体の電源電圧系路内のチョークコイルを着脱自在な構造とするか、電源電圧系路にジャンパー線を着脱自在に設けるか、又は電源電圧系路にスイッチを設けたので、チョークコイル又はジャンパー線を電源電圧系路から取り外したり、スイッチを開くだけの簡易な操作で電源電圧系路を開放可能となる。
（２）電源電圧系路を開放した機器本体を蓋に取付けるだけで、入力側端子に入力される電源電圧が出力側端子に出力されないように遮断することができる。
【００１２】
本件出願の請求項３記載の蓋への機器本体の固定装置には次のような効果がある。
（１）機器本体を蓋にセットして、両者を挟着治具によって挟着固定できるため、蓋への機器本体の装着、離脱が容易になる。
【００１３】
本件出願の請求項４記載の蓋への機器本体の固定装置には次のような効果がある。
（１）挟着治具の回転レバーの回転操作だけで蓋と機器本体とを挟着固定したり、挟着固定を解除したりすることが出来るため、蓋への機器本体の装着、離脱が容易になる。
【発明を実施するための最良の形態】
【００１４】
（実施形態１）
本発明のＣＡＴＶ用機器による電源電圧遮断方法と、それに用いるＣＡＴＶ用機器と、蓋への機器本体の固定装置の一例を、タップオフを例にして、図４、図５に基づいて詳細に説明するが、それに先立って、本発明のタップオフの基本構成を図１（ａ）（ｂ）〜図４に基づいて説明する。
【００１５】
図１（ａ）（ｂ）のタップオフは、蓋２とそれに脱着可能なタップオフ本体３とから構成されている、蓋２の外周縁部の数箇所には下方開口の螺子孔２ａが形成されており、その螺子孔２ａにタップオフ本体３の螺子孔３ａに差し込んである螺子４をねじ込むと、タップオフ本体３が蓋２に装着され、タップオフ本体３が蓋２に装着された状態で、螺子４を緩めるとタップオフ本体３が蓋２から外れるようにしてある。
【００１６】
前記蓋２は図１（ｂ）に示すように、下方開口の蓋ケース５に入力側ケーブルを脱着可能な入力側端子６と、出力側ケーブルを脱着可能な出力側端子７が形成され、蓋ケース５の内側で入力側端子６の内側に金属製の入力側ターミナル端子８が配置され、蓋ケース５の内側で出力側端子７の内側に金属製の出力側ターミナル端子９が配置され、蓋ケース５の天井面内側に金属製の細長帯状の短絡材１０が配置されている。入力側ターミナル端子８は入力側端子６に装着される入力側同軸ケーブルの中心導体が挿入されるとその中心導体と導通状態となり、出力側ターミナル端子９は出力側端子７に装着される出力側同軸ケーブルの中心導体が挿入されるとその中心導体と導通状態となるようにしてある。短絡材１０は軸方向両端部１０ａ、１０ｂが下向きに傾斜する板バネであり、タップオフ本体３を取付けない状態では一端が入力側ターミナル端子８に接触し、他端が出力側ターミナル端子９に接触して、入力側端子６に装着される入力側同軸ケーブルの中心導体−入力側ターミナル端子８−短絡材１０−出力側ターミナル端子９−出力側端子７−出力側同軸ケーブルの中心導体の導通が確保されるようにしてある。
【００１７】
前記した金属製の入力側ターミナル端子８及び出力側ターミナル端子９は、図３に示すように、蓋ケース５の内側に取付けられている樹脂製の保持具１１に内蔵されて、アルミニウムとか他の金属製の蓋ケース５に接触しないようにしてある。また、図２に示すように、金属製の短絡材１０は蓋ケース５の内側に取付けられている樹脂製の下方開口の細長カバー１２の内側に配置されてアルミニウムとか他の金属製の蓋ケース５に接触しないようにしてある。
【００１８】
短絡材１０の軸方向両端側下方には２本の押し具１３ａ、１３ｂが上下にスライド可能に配置されている。この押し具１３ａ、１３ｂは樹脂製のピン状であり、図３に示すように、蓋ケース５の内側に取付けられている樹脂製の支持具１４の差込孔１５に縦向きに差し込まれて上下にスライド可能としてあり、しかも、自重で降下しても支持具から抜け落ちないようにするため、短絡材１０側（上端側）の径を支持具１４の差込孔１５の径よりも大きくし、下端側の径をその差込孔１５に差込可能となるように細くしてある。
【００１９】
前記押し具１３は、蓋２にタップオフ本体３を取付けると、タップオフ本体３のプリント基板３２により押し上げられて上方にスライドし、短絡材１０の軸方向両端側を下方から押し上げて、その両端側を入力側ターミナル端子８及び出力側ターミナル端子９から押し離し、蓋２からタップオフ本体３を取り外すと短絡材１０の軸方向両端側の押し上げが解除されて、短絡材１０の軸方向両端側１０ａ、１０ｂがそのバネ力で下向きになって入力側ターミナル端子８及び出力側ターミナル端子９に接触するようにしてある。
【００２０】
前記タップオフ本体３は図１（ａ）に示すように、アルミとか他の金属製の本体ケース３０の底面に分岐端子３１が突設され、本体ケース３０の上面にプリント基板３２が取付けられている。プリント基板３２にはチョークコイル、コンデンサ、抵抗等の電子部品が搭載され、それらが結線されて、図４に示すように、高周波信号が通る高周波系路、電源電圧が通る電源電圧系路といった、タップオフとして必要な各種回路や系路が形成されている。
【００２１】
タップオフの電気回路の基本構成は図４に示すように、入力側端子６と出力側端子７との間に分岐器３５が接続され、その分岐器３５に二分配器３７を介して分岐端子３１が接続されている。また、分岐器の上流側と入力側端子６との間にコンデンサＣ1を、分岐器の下流側と出力側端子７との間にコンデンサＣ2を接続して、電源電圧（低周波）をカットして高周波信号だけが通過できる高周波系路３３が形成され、入力側端子６と出力側端子７との間に並列にチョークコイルＬを入れて、高周波信号をカットして電源電圧だけが通過できる電源電圧系路３４が形成されている。
【００２２】
チョークコイルＬは図４に示すように電源電圧系路３４に着脱自在としてあり、具体的には、図５に示すように、プリント基板３２の電源電圧系路３４に開口した二つの差込み孔５１に、チョークコイルＬの差込み端子５２を差込んだり、抜いたりできるようにしてあり、チョークコイルＬを抜くことにより電源電圧系路３４が開放されて、電源電圧が通過できなくなる（遮断される。）。
【００２３】
プリント基板３２には図１（ａ）に示すように、金属製の電極３６ａ、３６ｂが２本突設されている。この電極３６ａ、３６ｂはタップオフ本体３を蓋２に装着すると入力側ターミナル端子８、出力側ターミナル端子９に挿入されて、それらターミナル端子８、９を介して、入力側端子６に接続された入力側同軸ケーブル、出力側端子７に接続された出力側同軸ケーブルの中心導体と接触するようにしてある。この場合、入力側端子６に入力された高周波信号及び電源電圧のうち、高周波信号は図４の高周波系路３３を通って出力側端子７に出力されると共に分岐器３５で分岐されて分岐端子３１にも出力され、電源電圧は図４の電源電圧系路３４を通って出力側端子７に出力される。ただし、前記のように、チョークコイルＬを取り外した場合は、電源電圧系路３４は開放され、電源電圧は出力側端子７に出力されなくなる。
【００２４】
また、図１（ａ）のように、タップオフ本体３を蓋２に装着すると、タップオフ本体３のプリント基板３２によって蓋２の押し具１３ａ、１３ｂが押し上げられ、その押し具１３ａ、１３ｂにより短絡材１０の軸方向両端部１０ａ、１０ｂが押し上げられて、当該両端部１０ａ、１０ｂが入力側ターミナル端子８、出力側ターミナル端子９から離される。短絡材１０が入力側端子６、出力側端子７から電気的に切り離される。
【００２５】
タップオフ本体３を蓋２から取り外すとプリント基板３２に上方へ突出するように取り付けられている電極３６ａ、３６ｂが入力側ターミナル端子８、出力側ターミナル端子９から抜去されて、タップオフ本体３の高周波系路３３も、電源電圧系路３４も入力側端子６、出力側端子７から電気的にも切り離され、入力側端子６に入力された高周波信号も電源電圧も分岐端子３１に出力されなくなる。
【００２６】
また、タップオフ本体３を蓋２から取り外すとタップオフ本体３のプリント基板３２による押し具１３ａ、１３ｂの押し上げが解除され、押し具１３ａ、１３ｂによる短絡材１０の軸方向両端部１０ａ、１０ｂの押し上げが解放され、当該両端部１０ａ、１０ｂがその復元力で下向きになって入力側ターミナル端子８、出力側ターミナル端子９に接触する。これにより、短絡材１０が入力側ターミナル端子８を介して入力側端子６に、出力側ターミナル端子９を介して出力側端子７に電気的に接続されるため、入力側端子６に入力された高周波信号も電源電圧も短絡材１０を通って出力側端子７に出力される。
【００２７】
本発明では蓋２に取付けるタップオフ本体３は、前記のようにチョークコイルＬを電源電圧回路３４から抜いて電源電圧回路３４を開放させる事によって、蓋２の入力側端子６に入力された電源電圧を遮断して出力側端子７に出力されないようにする。
【００２８】
（使用例１）
本発明のタップオフを用いて本発明の電源遮断方法を実施するには、以下のようにする。
１．本発明のタップオフ１は、通常は、図１（ａ）に示すように蓋２とタップオフ本体３とが組み合わされており、図４に示すチョークコイルＬの差込み端子５２がプリント基板３２の差込み孔５１に差し込まれて、電源電圧系路３４が閉じて、電源電圧が出力側端子７に出力されるようにしてある。
２．電源電圧が出力側端子７に出力されないようにするには、図１（ａ）のねじ４を外して図１（ｂ）のようにタップオフ本体３を蓋２から取り外す。この場合、押し具１３ａ、１３ｂによる短絡材１０の軸方向両端側の押し上げが解除され、その軸方向両端側１０ａ、１０ｂが下向きになって入力側ターミナル８及び出力側ターミナル９に接触するため、入力側端子６に入力された高周波信号も電源電圧も短絡材１０を通って出力側端子７に出力される。
３．蓋２から取り外したタップオフ本体３の電源電圧系路３４中のチョークコイルＬを差込み孔５１から引き抜いて電源電圧系路３４を開放させ、このタップオフ本体３を蓋２に取り付けて、螺子止めする。電源電圧系路３４を開放させた事によって、図４に示すように、入力側端子６に入力された高周波信号は高周波系路３３のコンデンサＣ1、Ｃ2を通過して出力側端子７に出力されると共に分岐器３５で分岐されて分岐端子３１にも出力される。入力側端子６に入力された電源電圧はコンデンサＣ1によって遮断されるため、高周波系路３３を通過できず、また、電源電圧通路３４も開放されているため、遮断されて出力側端子７に出力されない。
【００２９】
（実施形態２）
本発明のＣＡＴＶ用機器による電源電圧遮断方法と、それに用いるＣＡＴＶ用機器と、蓋への機器本体の固定装置の他の一例を、前記実施形態１と同様に、タップオフを例にして、図６に基づいて説明する。
図６のタップオフの基本的構成及び使用方法は図４のタップオフ１と同じであるが、電源電圧系路３４にジャンパー線５３を脱着自在に設けて、ジャンパー線５３を取り外すと電源電圧系路３４が開放されて、電源電圧が通過できなくなるようにしたことにおいて前記実施形態と異なる。図６ではジャンパー線５３がチョークコイルＬの前段と後段に夫々一つずつ接続されているが、ジャンパー線５３は電源電圧系路３４中のいずれか一箇所にあればよい。
【００３０】
（実施形態３）
本発明のＣＡＴＶ用機器による電源電圧遮断方法と、それに用いるＣＡＴＶ用機器と、蓋への機器本体の固定装置の他の一例を、前記各実施形態と同様にタップオフを例にして、図７に基づいて説明する。
図７のタップオフも基本的構成及び使用方法は前記各実施形態に記載のタップオフ１と共通するが、図７に示すように電源電圧系路３４にスイッチ５４を設け、それを開閉することにより電源電圧系路３４を短絡・開放可能としたことにおいて前記実施形態と異なる。図７では前記スイッチ５４をチョークコイルＬの両脇に夫々一つずつ設けてあるが、スイッチ５４の位置は電源電圧系路３４中のいずれか一箇所にあればよい。スイッチ５４はメカ式のものでも、電子式のものでも良く、いずれの場合もタップオフ１の外部から開閉操作可能とすることもできる。
【００３１】
（実施形態４）
本発明のＣＡＴＶ用機器による電源電圧遮断方法と、それに用いるＣＡＴＶ用機器と、蓋への機器本体の固定装置の他の一例を、前記各実施形態と同様にタップオフを例にして、図８、９（ａ）〜（ｃ）に基づいて説明する。
前記した実施形態では蓋２とタップオフ本体３とを螺子止めによって固定してあるが、両者を挟着治具により固定することもできる。挟着治具の一例として図８に示すものは、タップオフ本体３の本体ケース３０の底面にあてがう支持部４４と、蓋２の上面を押える回転レバー４５とを備えており、回転レバー４５は支持部４４から立設した２本の丸棒状の回転軸４６の上端部に矢印ａ−ａ´方向に回動可能に取付けられている。
【００３２】
（使用例）
前記挟着治具４７を使用して蓋２とタップオフ本体３とを固定する場合は、図９（ａ）〜（ｃ）に示すように、蓋２の下に重ねてセットしたタップオフ本体３の底面に、挟着治具４７の支持部４４の上面をあてがい、回転レバー４５を蓋２の上に回転させると、蓋２とタップオフ本体３とを支持部４４と回転レバー４５との間に挟着固定される。回転レバー４５を逆回転させて蓋２の上から外すと、タップオフ本体３を蓋２から取り外すことができる。前記挟着治具４７は上下を逆にして、支持部４４を蓋２の上面にあてがい、回転レバー４５を回転させてタップオフ本体３の底にあてがって、蓋２とタップオフ本体３とを支持部４４と回転レバー４５との間に挟着固定することもできる。
【００３３】
（その他の実施形態）
蓋２と機器本体３との固定方法は前記各実施形態に記載の方法に限られず、例えば挟着治具を備えた機器本体によって固定する等、任意の手段によることができる。
【産業上の利用可能性】
【００３４】
本発明のＣＡＴＶ用機器による電源電圧遮断方法と、それに用いるＣＡＴＶ用機器と、蓋への機器本体固定装置は、簡易に、且つ最小限の電源電圧遮断が可能であるため、ＣＡＴＶの分野に限らず、電源電圧遮断が必要な多くの分野について用いることができる。
【図面の簡単な説明】
【００３５】
【図１】（ａ）は本発明に使用するタップオフを示す断面図。（ｂ）は（ａ）に示すタップオフの蓋を示す断面図。
【図２】図１に示すタップオフの蓋の内部構造を示す縦断側面図。
【図３】図１に示すタップオフの蓋を縦断した内部説明図。
【図４】チョークコイルを脱着可能としたタップオフ回路の一例を示す説明図。
【図５】本発明におけるチョークコイルの説明図。
【図６】ジャンパー線を脱着可能としたタップオフ回路の一例を示す説明図。
【図７】スイッチを用いたタップオフ回路の一例を示す説明図。
【図８】本発明の挟着治具の一例を示す斜視図。
【図９】（ａ）は本発明の挟着治具により蓋とタップオフ本体とを挟着保持した状態の平面図、（ｂ）は（ａ）の背面図、（ｃ）は（ａ）の側面図である。
【図１０】ＣＡＴＶ機器がカスケード接続された状態の説明図。
【符号の説明】
【００３６】
１  タップオフ
２  蓋
３  本体
４  ねじ
１０  短絡材
１３  押し具
４７  挟着治具
５１  差込み孔
５２  差込み端子
５３  ジャンパー線
５４  スイッチ
【図１】
2005159555.tif 000003
【図２】
2005159555.tif 000004
【図３】
2005159555.tif 000005
【図４】
2005159555.tif 000006
【図５】
2005159555.tif 000007
【図６】
2005159555.tif 000008
【図７】
2005159555.tif 000009
【図８】
2005159555.tif 000010
【図９】
2005159555.tif 000011
【図１０】
2005159555.tif 000012